(57)【特許請求の範囲】
【請求項１】
吸い込み口と吹き出し口を設けて形成される空気清浄器本体内に、吸い込み口から空気清浄器本体内に吸い込んだ空気中に含まれる粉塵を収集する集塵手段と、イオン化針と対極板とから形成されイオンを生成するイオン生成手段とを設け、イオンを吹き出し口から空気清浄器本体外に放出するようにした空気清浄器において、上記吹き出し口を空気清浄機本体の上面に設け、イオン濃度が空気清浄器本体の吹き出し口の一側がわで高く、吹き出し口の他側がわで低くなるようイオンを放出させるようにするために、イオン化針と対極板に印加することで発生する電気力線を上記吹き出し口の一側がわよりも他側がわで少なくし、空気清浄器本体の上記他側がわを壁に向ける側とすることを特徴とする空気清浄器。
【請求項２】
空気清浄器本体の中央部よりも上記一側がわに偏らせてイオン化針を設けて成ることを特徴とする請求項１に記載の空気清浄器。
【請求項３】
空気清浄器本体の中央部よりも上記一側がわに偏らせて対極板を設けて成ることを特徴とする請求項１又は２に記載の空気清浄器。
【請求項４】
吹き出し口の外側に複数本のルーバーを並設すると共に上記他側がわのルーバーの高さを上記一側がわのルーバーの高さよりも高く形成して成ることを特徴とする請求項１乃至３のいずれかに記載の空気清浄器。
【請求項５】
吹き出し口の外側に複数本のルーバーを並設すると共に上記他側がわのルーバー間の間隔を上記一側がわのルーバー間の間隔よりも密に形成して成ることを特徴とする請求項１乃至４のいずれかに記載の空気清浄器。
【請求項６】
空気清浄器本体の中央部よりも上記一側がわに偏らせてイオン化針と対極板を設けて成ることを特徴とする請求項１乃至５のいずれかに記載の空気清浄器。
【発明の詳細な説明】
【０００１】
【発明の属する技術分野】
本発明は、空気中に浮遊する粉塵を取り除いて室内の空気を浄化する空気清浄器に関するものである。
【０００２】
【従来の技術】
従来より、空気清浄器本体内に集塵手段を備え、空気清浄器本体内に取り込んだ空気中に含まれる粉塵を上記集塵手段で除去して空気を浄化するようにした空気清浄器が提供されているが、最近ではこの空気清浄機能に加えて、身体によい影響を与えると言われるマイナスイオンを放出するような空気清浄器も提案されている。
【０００３】
図１３には空気清浄器の一例が示してあり、箱型に形成される空気清浄器本体１の下面には吸い込み口（図示省略）が、空気清浄器本体１の上面には吹き出し口３がそれぞれ形成してある。また、空気清浄器本体１の内部には吸い込み口から吸い込んだ空気を吹き出し口３から吹き出すように空気を流動させる空気流動手段（図示省略）が設けてあると共にこの空気流動手段の上側には集塵手段（図示省略）が配設してある。そして集塵手段の上側にはイオン化針９と対極板１０から構成されるイオン生成手段７が設けてある。このイオン生成手段７は、イオン化針９と対極板１０とに電圧を印加することによって、イオン化針９と対極板１０の間の空気中の分子をイオン化してマイナスイオンを生成するようにしたものである。
【０００４】
図１４には上記空気清浄器の上部の断面図が示してある。空気清浄器本体１の吹き出し口３には複数本のルーバー１１が前後方向に並設して突設してあり、空気清浄器本体１の略中央に位置するルーバー１１の下面に対極板１０が取り付けてある。またイオン化針９は対極板１０の真下に配置され、空気清浄器本体１の内部に設けられた固定板１４に取り付けられている。そして上記のようにイオン化針９と対極板１０とに電圧を印加すると、図１４の矢印に示すような電気力線Ａがイオン化針９と対極板１０の間の等電位線の垂直方向に発生して吹き出し口３とルーバー１１間を通って空気清浄器本体１外へと導出され、この電気力線Ａに沿ってマイナスイオン６が移動することによって、マイナスイオン６が空気清浄器本体１外へと導き出されて空中に放出されるのである。
【０００５】
【発明が解決しようとする課題】
しかし、上記空気清浄器ではマイナスイオン６を放出しているので、空気清浄器本体１外の粉塵４にマイナスイオン６が吸着してこの粉塵４が帯電することになるが、この帯電した粉塵４が空気清浄器の周囲の壁や床、特に空気清浄器と近接する空気清浄器の背面側の壁８に付着して壁８が汚れ易いという問題があった。
【０００６】
本発明は上記問題点の解決を目的とするものであり、周囲の壁や床、特に壁際に設置した場合に近接する壁を汚れにくくすることができる空気清浄器を提供しようとするものである。
【０００７】
【課題を解決するための手段】
本発明の請求項１に係る空気清浄器は、吸い込み口２と吹き出し口３を設けて形成される空気清浄器本体１内に、吸い込み口２から空気清浄器本体１内に吸い込んだ空気中に含まれる粉塵４を収集する集塵手段５と、イオン化針９と対極板１０とから形成されイオン６を生成するイオン生成手段７とを設け、イオン６を吹き出し口３から空気清浄器本体１外に放出するようにした空気清浄器において、上記吹き出し口３を空気清浄機本体１の上面に設け、イオン濃度が空気清浄器本体１の吹き出し口３の一側がわで高く、吹き出し口３の他側がわで低くなるようイオン６を放出させるようにするために、イオン化針９と対極板１０に印加することで発生する電気力線Ａを上記吹き出し口３の一側がわよりも他側がわで少なくし、空気清浄器本体１の上記他側がわを壁８に向ける側とすることを特徴とするものであり、上記他側がわを壁８側に向けて配置することによって、イオン６の吸着で帯電する粉塵４を壁８の近傍に発生させにくくすることができる。
【０００８】
本発明の請求項２に係る空気清浄器は上記構成に加えて、空気清浄器本体１の中央部よりも上記一側がわに偏らせてイオン化針９を設けたことを特徴とするものであり、イオン化針９と対極板１０に印加することによって発生する電気力線Ａを上記他側がわに発生しにくくして、電気力線Ａに沿って移動するイオン６が上記他側がわに放出されにくくなるようにすることができ、上記他側がわを壁８側に向けて配置することによって、イオン６の吸着で帯電する粉塵４を壁８の近傍に発生させにくくすることができる。
【０００９】
本発明の請求項３に係る空気清浄器は上記構成に加えて、空気清浄器本体１の中央部よりも上記一側がわに偏らせて対極板１０を設けたことを特徴とするものであり、イオン化針９と対極板１０に印加することによって発生する電気力線Ａを上記他側がわに少なく発生させるようにして電気力線Ａに沿って移動するイオン６を上記他側がわに少なく放出することができ、上記他側がわを壁８側に向けて配置することによって、イオン６の吸着で帯電する粉塵４を壁８の近傍に発生させにくくすることができる。
【００１０】
本発明の請求項４に係る空気清浄器は上記構成に加えて、吹き出し口３の外側に複数本のルーバー１１ａ、１１ｂ、１１ｃを並設すると共に上記他側がわのルーバー１１ａ、１１ｂの高さを上記一側がわのルーバー１１ｃの高さよりも高く形成したことを特徴とするものであり、高いルーバー１１ａ、１１ｂでイオン化針９と対極板１０に印加することによって発生する電気力線Ａを遮断して上記他側がわに導出されにくくなるようにして、電気力線Ａに沿って移動するイオン６が上記他側がわに放出されにくくすることができ、上記他側がわを壁８側に向けて配置することによって、イオン６の吸着で帯電する粉塵４を壁８の近傍に発生させにくくすることができる。
【００１１】
本発明の請求項５に係る空気清浄器は上記構成に加えて、吹き出し口３の外側に複数本のルーバー１１ａ、１１ｂ、１１ｃを並設すると共に上記他側がわのルーバー１１ａ、１１ｂ間の間隔を上記一側がわのルーバー１１ｃ間の間隔よりも密に形成したことを特徴とするものであり、ルーバー１１ａ、１１ｂ間の間隔を狭くすることによって、イオン化針９と対極板１０の印加で発生する電気力線Ａがルーバー１１ａ、１１ｂ間を通過しないように遮断して上記他側がわに導出されにくくなるようにして、電気力線Ａに沿って移動するイオン６が上記他側がわに放出されにくくすることができ、上記他側がわを壁８側に向けて配置することによって、イオン６の吸着で帯電する粉塵４を壁８の近傍に発生させにくくすることができる。
【００１２】
本発明の請求項６に係る空気清浄器は上記構成に加えて、空気清浄器本体１の中央部よりも上記一側がわに偏らせてイオン化針９と対極板１０を設けたことを特徴とするものであり、イオン化針９と対極板１０に印加することによって発生する電気力線Ａを上記他側がわにより一層発生しにくくして、電気力線Ａに沿って移動するイオン６が上記他側がわに放出されにくくなるようにすることができ、上記他側がわを壁８側に向けて配置することによって、イオン６の吸着で帯電する粉塵４を壁８の近傍により一層発生させにくくすることができる。
【００１６】
【発明の実施の形態】
図２に示すように空気清浄器の外殻となる空気清浄器本体１は矩形状の箱型に形成されており、その前面及び後面をほぼ全面に開口させて形成してある。また空気清浄器本体１の下面には幅方向に長い吸い込み口２を前後方向に並べて設けてあると共に空気清浄器本体１の上面には幅方向に長い吹き出し口３を形成してある。この吹き出し口３には複数本のルーバー１１が上方に突出するように前後方向に間隔を介して設けてある。ルーバー１１は枠体２５に支持されており、枠体２５はその端部を吹き出し口３の内面に設けた凹部２６に差し込んで係止することによって空気清浄器本体１に取り付けられている。
【００１７】
空気清浄器本体１の前面及び後面にはカバー１５が着脱自在に取り付けてあり、前面に取り付けたカバー１５の外面には空気清浄器本体１内に連通する多数の小孔１６が形成してある。この吸排気用小孔１６は、空気清浄器本体１内に粉塵４を含む汚染空気を吸い込むための吸気孔として機能したり、或いは空気清浄器本体１外に粉塵４を取り除いた処理空気を吹き出すための排気孔として機能したりするものである。さらに空気清浄器本体１の下面の両側部には、空気清浄器本体１の下面に取り付けられる支持部１７と、支持部１７を中央として空気清浄器本体１の前後方向に延設される脚片３０、３０とから形成される脚部１２が設けてある。尚、１８はカバー１５を空気清浄器本体１に着脱する際に使用する着脱釦である。
【００１８】
図３に示すように上記空気清浄器本体１内の下部にはプレフィルター１９と風誘起手段２０が設けてある。プレフィルター１９は合成樹脂製のネットなどで形成されるものであって、吸い込み口２の上面を全面に亘って覆うように配置されており、このプレフィルター１９で吸い込み口２から吸い込まれる汚染空気中の綿埃等の大きな塵を補集することができ、空気清浄器本体１内に大きな塵が溜まってしまうという問題が生じないようにすることができる。
【００１９】
風誘起手段２０はプレフィルター１９の上方で空気清浄器本体１の幅方向のほぼ全長に亘って配設されたタングステン線やピアノ線等で形成される放電線２１と、放電線２１の上方で空気清浄器本体１の前後方向に間隔を介して平行に並設される対極部２２とで構成されており、放電線２１と対極部２２とに電圧を印加することによって、イオン風を誘起させるものである。つまり風誘起手段２０は、放電線２１に例えば＋６ｋＶの電圧を印加して放電線２１近傍の空気中の分子を電離してプラスイオンを発生させると共に対極部２２に例えば−６ｋＶの電圧を印加して上記プラスイオンを対極部２２に引き寄せるように移動させるようにするものであり、プラスイオンが対極部２２に移動するまでの間に空気中の中性分子と衝突することによって、吸い込み口２から吹き出し口３に向かう空気の流れ（イオン風）を引き起こすようにしたものである。
【００２０】
この風誘起手段２０の上方には集塵手段５が設けてある。集塵手段５は、空気清浄器本体１内の前後方向の略中央部に取り付けた薄鋼板の集塵電極２３と、集塵電極２３のほぼ全面を覆うように取り付けられた紙製（キッチンペーパータオルなど）の集塵フィルター２４とで構成されており、集塵電極２３に電圧を印加することによって空気清浄器本体１内に吸い込まれた汚染空気中に含まれる粉塵４を電気的に収集しようとするものである。つまりこの集塵手段５は、上述したプラスイオンを空気清浄器本体１内に吸い込まれた汚染空気中に含まれる粉塵４に衝突させて吸着させることによって粉塵４をプラスに帯電させ、この粉塵４を集塵電極２３に例えば−６ｋＶの電圧を印加して引き寄せて集塵フィルター２４に付着させることによって、粉塵４を収集するようにしたものである。
【００２１】
上記集塵手段５の上方にはイオン生成手段７が設けてある。イオン生成手段７は上部が尖ったイオン化針９と板状の対極板１０とから構成されており、空気清浄器本体１の幅方向の略中央部に配設されている。そしてイオン化針９に例えば−６ｋＶの電圧を印加すると共に対極板１０をグランド（ＧＮＤ）に接地することによって、イオン化針９と対極板１０との間の空気中の分子を電離させてマイナスイオン６を生成することができるものである。このマイナスイオン６は、イオン化針９に電圧を印加し、対極板１０を接地することによってイオン化針９と対極板１０との間の等電位線と垂直方向に発生する電気力線Ａ（図１、図４乃至８に矢印で示す）に沿って移動するものであり、電気力線Ａが吹き出し口２とルーバー１１間を通って空気清浄器本体１外に導出することによって、マイナスイオン６が空気清浄器本体１外に放出されるようになっている。
【００２２】
このように形成される空気清浄器はスイッチをオンにすることによって、風誘起手段２０と集塵手段５とイオン生成手段７とを上述のように作動させ、吸い込み口２から空気清浄器本体１内に粉塵４を含む汚染空気を取り入れると共にこの空気の粉塵４を集塵手段５で除去して浄化して処理空気を生成し、この処理空気を吹き出し口３から空気清浄器本体１外に吹き出すようにして使用されるものである。またこの空気浄化機能と同時に、森林中に多く含まれ身体に良いとされるマイナスイオン６を吹き出し口３からルーバー１１間を通じて空気清浄器本体１外に放出するものである。
【００２３】
図１には本発明の一実施形態の上部が示してあり、対極板１０を空気清浄器本体１の前後方向の中央部よりも前側の位置においてルーバー１１の下面に取り付けると共にイオン化針９を対極板１０の真下に対向させて配置することによって、イオン生成手段７を形成してある。
この実施形態ではイオン生成手段７を空気清浄器本体１の前後方向の中央部よりも前側の位置に配置したので、空気清浄器本体１の前後方向の中央部より後側のルーバー１１の上方付近には後側のルーバー１１の遮断によって電気力線Ａが導出しないようにすることができる。そして空気清浄器本体１の後側を壁８の方に向けて設置することによって、壁８の近傍にマイナスイオン６が放出されにくくなって、壁８の近傍にマイナスイオン６のクーロン力による吸着で帯電した粉塵４を発生させにくくすることができる。
【００２４】
また、この実施形態では、イオン化針９と対極板１０を空気清浄器本体１の前後方向の中央部よりも前側に偏らせて配置してあるので、空気清浄器本体１の前後方向の中央部より前側のルーバー１１の上方付近には従来と同様に、或いは従来以上に電気力線Ａを導出することができ、空気清浄器本体１の前側では、身体に良いとされるマイナスイオン６を従来と変わらない程度に、或いは従来よりも多く放出することができると共に、マイナスイオン６で帯電された粉塵４をクーロン力で補集して空気の浄化効率を高く保つことができる。
【００２５】
図４には本発明の他の実施形態の上部が示してあり、対極板１０を空気清浄器本体１の前後方向の中央部よりも前側の位置においてルーバー１１の下面に取り付けると共にイオン化針９を空気清浄器本体１の前後方向の中央部に配置することによって、イオン生成手段７を形成してある。
この実施形態ではイオン生成手段７の対極板１０を空気清浄器本体１の前後方向の中央部よりも前側の位置に配置したので、空気清浄器本体１の前後方向の中央部より後側のルーバー１１の上方付近には最も後側のルーバー１１の遮断によって電気力線Ａが導出しないようにすることができる。そして空気清浄器本体１の後側を壁８の方に向けて設置することによって、壁８の近傍にマイナスイオン６が放出されにくくなって、壁８の近傍にマイナスイオン６のクーロン力による吸着で帯電した粉塵４を発生させにくくすることができる。
【００２６】
また、この実施形態では空気清浄器本体１の前後方向の中央部よりも前側に偏らせて対極板１０を配置してあるので、空気清浄器本体１の前後方向の中央部よりも前側のルーバー１１の上方付近には従来と同様に、或いは従来以上に電気力線Ａを導出することができ、空気清浄器本体１の前側では、身体に良いとされるマイナスイオン６を従来と変わらない程度に、或いは従来よりも多く放出することができると共に、マイナスイオン６で帯電された粉塵４をクーロン力で補集して空気の浄化効率を高く保つことができる。
【００２７】
図５には本発明のさらに他の実施形態の上部が示してあり、対極板１０を空気清浄器本体１の前後方向の中央部の位置においてルーバー１１の下面に取り付けると共にイオン化針９を対極板１０の真下に対向させて配置することによって、イオン生成手段７を形成してある。また空気清浄器本体１の前後方向の中央部よりも後側のルーバー１１ｂを、それよりも前側にあるルーバー１１ｃよりも高く形成すると共に、ルーバー１１ｂよりも後側のルーバー１１ａの高さをルーバー１１ｂよりも高く形成してある。
【００２８】
この実施形態では空気清浄器本体１の前後方向の中央部よりも後側のルーバー１１ａ、１１ｂを前側のルーバー１１ｃよりも高く形成したので、ルーバー１１ａ、１１ｂの上方付近にはルーバー１１ａ、１１ｂの遮断によって電気力線Ａが導出しないようにすることができる。そして空気清浄器本体１の後側を壁８の方に向けて設置することによって、壁８の近傍にマイナスイオン６が放出されにくくなって、壁８の近傍にマイナスイオン６のクーロン力による吸着で帯電した粉塵４を発生させにくくすることができる。
【００２９】
また、この実施形態では空気清浄器本体１の前後方向の中央部にイオン生成手段７を配置すると共に空気清浄器本体１の前後方向の中央部より前側のルーバー１１ｃを従来と同様な高さで後側のルーバー１１ａ、１１ｂよりも低く形成したので、前側のルーバー１１ｃの上方付近には、従来と同様に電気力線Ａを導出することができ、空気清浄器本体１の前側では、身体に良いとされるマイナスイオン６を従来と変わらない程度に放出することができると共に、マイナスイオン６で帯電された粉塵４をクーロン力で補集して空気の浄化効率を高く保つことができる。
【００３０】
図６には本発明のさらに他の実施形態の上部が示してあり、対極板１０を空気清浄器本体１の前後方向の中央部の位置においてルーバー１１の下面に取り付けると共にイオン化針９を対極板１０の真下に対向させて配置することによって、イオン生成手段７を形成してある。また空気清浄器本体１の前後方向の中央部よりも後側のルーバー１１ａ、１１ｂ間の間隔を、それよりも前側にあるルーバー１１ｃ間の間隔よりも密に（狭く）形成してある。
【００３１】
この実施形態では空気清浄器本体１の前後方向の中央部よりも後側のルーバー１１ａ、１１ｂ間の間隔を、前側にあるルーバー１１ｃ間の間隔よりも密に形成したので、ルーバー１１ａ、１１ｂ間を電気力線Ａが通過しにくくなって、ルーバー１１ａ、１１ｂの上方付近に電気力線Ａが導出しないようにすることができる。そして空気清浄器本体１の後側を壁８の方に向けて設置することによって、壁８の近傍にマイナスイオン６が放出されにくくなって、壁８の近傍にマイナスイオン６のクーロン力による吸着で帯電した粉塵４を発生させにくくすることができる。
【００３２】
また、この実施形態では空気清浄器本体１の前後方向の中央部にイオン生成手段７を配置すると共に空気清浄器本体１の前後方向の中央部より前側のルーバー１１ｃを従来と同様な間隔で後側のルーバー１１ａ、１１ｂの間隔よりも広く形成したので、前側のルーバー１１ｃの上方付近には、ルーバー１１ｃ間の間隔が狭くないので従来と同様に電気力線Ａを導出することができ、空気清浄器本体１の前側では、身体に良いとされるマイナスイオン６を従来と変わらない程度に放出することができると共に、マイナスイオン６で帯電された粉塵４をクーロン力で補集して空気の浄化効率を高く保つことができる。
【００３３】
図７には本発明のさらに他の実施形態の上部が示してあり、対極板１０を吹き出し口３の前側開口縁部の下側に取り付けると共にイオン化針９を空気清浄器本体１の前後方向の中央部よりも前側の位置に配置することによって、イオン生成手段７を形成してある。
この実施形態ではイオン生成手段７を空気清浄器本体１の前後方向の中央部よりも前側の位置に配置し、且つ対極板１０をイオン化針９よりもさらに前側に配置したので、図３に示す実施形態よりも電気力線Ａを空気清浄器本体１の上方の前側に一層偏らせて導出することができると共に空気清浄器本体１の上方の後側には、一層電気力線Ａが導出しないようにすることができる。そして空気清浄器本体１の後側を壁８の方に向けて設置することによって、壁８の近傍にマイナスイオン６が放出されにくくなって、壁８の近傍にマイナスイオン６のクーロン力による吸着で帯電した粉塵４を発生させにくくすることができる。
【００３４】
また、この実施形態では図１に示す実施形態に比べて、空気清浄器本体１の前後方向の中央部よりも前側にさらに偏らせて対極板１０を配置してあるので、空気清浄器本体１の前後方向の中央部より前側のルーバー１１の上方付近には従来と同様に、或いは従来以上の電気力線Ａを導出することができ、空気清浄器本体１の前側では、身体に良いとされるマイナスイオン６を従来と変わらない程度に、或いは従来よりも多く放出することができると共に、マイナスイオン６で帯電された粉塵４をクーロン力で補集して空気の浄化効率を高く保つことができる。
【００３５】
図８には本発明のさらに他の実施形態が示してあり、対極板１０を吹き出し口３の前側開口縁部の下側に取り付けると共にイオン化針９を空気清浄器本体１の前後方向の中央部よりも前側の位置に配置することによって、イオン生成手段７を形成してある。また、空気清浄器本体１の後側には、後方に大きく突出する突出部１３が延設してあり、空気清浄器本体１の後方への突出寸法が前方への突出寸法よりも大きくなるようにしてある。図示されたものにおいて突出部１３は、空気清浄器本体１の下部外面を上部外面よりも外方に突出するように外方に向けて一体的に延出された本体突出部３１にて形成するようにしたものが示されている。この突出部１３は例えば、別体となった部材を空気清浄器本体１の外面に取り付けるようにして空気清浄器本体１に対して着脱自在とし、着脱することによって突出部１３が突出状態または突出していない状態に選択可能とされていてもよいものである。また、一端を軸支して外方へ引き出すことで突出状態となり、内方へ押し込むことで収納状態となるように構成してあってもよい。
【００３６】
この実施形態ではイオン生成手段７を空気清浄器本体１の前後方向の中央部よりも前側の位置に配置し、且つ対極板１０をイオン化針９よりもさらに前側に配置したので、図３に示す実施形態よりも電気力線Ａを空気清浄器本体１の上方の前側に一層偏らせて導出することができると共に空気清浄器本体１の上方の後側には、一層電気力線Ａが導出しないようにすることができる。そして空気清浄器本体１の後側を壁８の方に向けて設置することによって、壁８の近傍にマイナスイオン６が放出されにくくなって、壁８の近傍にマイナスイオン６のクーロン力による吸着で帯電した粉塵４を発生させにくくすることができ、しかも、空気清浄器本体１の後側を壁８の方に向けて設置すると共に空気清浄器本体１の突出部１３を壁８に当接させることによって、空気清浄器本体１を壁８から離れさせて壁８の近傍にマイナスイオン６が放出されにくくすることができ、壁８の近傍にマイナスイオン６のクーロン力による付着によって帯電する粉塵４を確実に発生させにくくすることができる。
【００３７】
図９には本発明の参考例が示してあり、対極板１０を空気清浄器本体１の前後方向の中央部の位置においてルーバー１１の下面に取り付けると共にイオン化針９を対極板１０の真下に対向させて配置することによって、イオン生成手段７を形成してある。また、脚部１２の後側の脚片３０ａの先端には、空気清浄器本体１の背面よりも後方に大きく突出する突出部１３が一体延設してあり、後側の脚片３０ａの後方への突出寸法が前側の脚片３０ｂの前方への突出寸法よりも大きくなるようにしてある。
【００３８】
この参考例では従来と同様にイオン生成手段７を空気清浄器本体１の前後方向の中央部に配置してあるので、空気清浄器本体１の上方の前側と後側に同じぐらいのマイナスイオン６が放出されるが、空気清浄器本体１の後側を壁８の方に向けて設置すると共に脚部１２の突出部１３を壁８に当接させることによって、空気清浄器本体１を壁８から離れさせて壁８の近傍にマイナスイオン６が放出されにくくすることができ、壁８の近傍にマイナスイオン６のクーロン力による付着によって帯電する粉塵４を発生させにくくすることができる。
【００３９】
また、空気清浄器本体１の前後方向の中央部より前側のルーバー１１の上方付近には従来と同様に電気力線Ａを導出することができ、空気清浄器本体１の前側では、身体に良いとされるマイナスイオン６を従来と変わらない程度に放出することができると共に、マイナスイオン６で帯電された粉塵４をクーロン力で補集して空気の浄化効率を高く保つことができる。
【００４０】
図１０には本発明のさらに他の参考例が示してあり、対極板１０を空気清浄器本体１の前後方向の中央部の位置においてルーバー１１の下面に取り付けると共にイオン化針９を対極板１０の真下に対向させて配置することによって、イオン生成手段７を形成してある。また、脚部１２の後側の脚片３０ａの先端には、空気清浄器本体１の背面よりも後方に大きく突出する突出部１３が延設してあり、後側の脚片３０ａの後方への突出寸法が前側の脚片３０ｂの前方への突出寸法よりも大きくなるようにしてある。さらに、突出部１３はスライド移動又は回転移動によって脚部１２内に収納できるようになっている。
【００４１】
図１１にはスライド移動によって突出部１３が脚部１２内に収納可能となった参考例が示してあり、脚部１２の端部開口に対して突出部１３を構成する箱部材１３ａが挿合自在とされており、箱部材１３ａの上下部に設けられた突起体２８が脚部１２の端部開口に設けられた係合凹所２９に係合されるようになっており、箱部材１３ａは脚部１２内に収納した状態と脚部１２より外方に引き出して固定した状態とに移動させることができるようになっている。そして、箱部材１３ａを外方に引き出した状態とすることによって突出部１３が脚部１２より外方に突出された状態となり、また、箱部材１３ａを内方に押し込むようにすることで突出部１３が脚部１２内に収納された状態となるようになっている。
【００４２】
図１２には回転移動によって突出部１３が脚部１２内に収納可能となった参考例が示してあり、脚部１２の一部に突出部１３を構成する箱部材１３ａの端部が軸支されており、箱部材１３ａは回動移動させて脚部１２外に引き出して脚部１２より突出した状態で固定することができ、また、回動移動させて脚部１２内に収納することができるようになっている。そして、箱部材１３ａを回転移動させて外方に引き出すことによって突出部１３が脚部１２より外方に突出された状態となり、また、箱部材１３ａを回転移動させて内方に収納することで突出部１３が脚部１２内に収納された状態となるようになっている。
【００４３】
この参考例では従来と同様にイオン生成手段７を空気清浄器本体１の前後方向の中央部に配置してあるので、空気清浄器本体１の上方の前側と後側に同じぐらいのマイナスイオン６が放出されるが、空気清浄器本体１の後側を壁８の方に向けて設置すると共に脚部１２の突出部１３を壁８に当接させることによって、空気清浄器本体１を壁８から離れさせて壁８の近傍にマイナスイオン６が放出されにくくすることができ、壁８の近傍にマイナスイオン６のクーロン力による付着によって帯電する粉塵４を発生させにくくすることができる。また、この実施形態においては未使用時には突出部１３を外方に突出しない収納状態としておくことで邪魔になるようなことがない。
【００４４】
また、空気清浄器本体１の前後方向の中央部より前側のルーバー１１の上方付近には従来と同様に電気力線Ａを導出することができ、空気清浄器本体１の前側では、身体に良いとされるマイナスイオン６を従来と変わらない程度に放出することができると共に、マイナスイオン６で帯電された粉塵４をクーロン力で補集して空気の浄化効率を高く保つことができる。
【００４５】
【発明の効果】
上記のように本発明の請求項１に係る空気清浄器は、上記吹き出し口を空気清浄機本体の上面に設け、イオン濃度が空気清浄器本体の吹き出し口の一側がわで高く、吹き出し口の他側がわで低くなるようイオンを放出させるようにするために、イオン化針と対極板に印加することで発生する電気力線を上記吹き出し口の一側がわよりも他側がわで少なくし、空気清浄器本体の上記他側がわを壁に向ける側としたので、上記他側がわを壁側に向けて配置することによって、イオンの吸着で帯電する粉塵を壁の近傍に発生させにくくすることができ、周囲の壁や床、特に近接する壁を汚れにくくすることができるものであり、また空気清浄器本体の一側がわのイオン濃度は高くしたので、イオンで帯電された粉塵をクーロン力で補集して空気の浄化効率を高く保つことができるものである。
【００４６】
本発明の請求項２に係る空気清浄器は、空気清浄器本体の中央部よりも上記一側がわに偏らせてイオン化針を設けたので、イオン化針と対極板に印加することによって発生する電気力線を上記他側がわに発生しにくくして、電気力線に沿って移動するイオンが上記他側がわに放出されにくくなるようにすることができ、上記他側がわを壁側に向けて配置することによって、イオンの吸着で帯電する粉塵を壁の近傍に発生させにくくすることができ、周囲の壁や床、特に近接する壁を汚れにくくすることができるものである。
【００４７】
本発明の請求項３に係る空気清浄器は、空気清浄器本体の中央部よりも上記一側がわに偏らせて対極板を設けたので、イオン化針と対極板に印加することによって発生する電気力線を上記他側がわに少なく発生させるようにして電気力線に沿って移動するイオンを上記他側がわに少なく放出することができ、上記他側がわを壁側に向けて配置することによって、イオンの吸着で帯電する粉塵を壁の近傍に発生させにくくすることができ、周囲の壁や床、特に近接する壁を汚れにくくすることができるものである。
【００４８】
本発明の請求項４に係る空気清浄器は、吹き出し口の外側に複数本のルーバーを並設すると共に上記他側がわのルーバーの高さを上記一側がわのルーバーの高さよりも高く形成したので、高いルーバーでイオン化針と対極板に印加することによって発生する電気力線を遮断して上記他側がわに導出されにくくなるようにして、電気力線に沿って移動するイオンが上記他側がわに放出されにくくすることができ、上記他側がわを壁側に向けて配置することによって、イオンの吸着で帯電する粉塵を壁の近傍に発生させにくくすることができ、周囲の壁や床、特に近接する壁を汚れにくくすることができるものである。
【００４９】
本発明の請求項５に係る空気清浄器は、吹き出し口の外側に複数本のルーバーを並設すると共に上記他側がわのルーバー間の間隔を上記一側がわのルーバー間の間隔よりも密に形成したので、ルーバー間の間隔を狭くすることによって、イオン化針と対極板の印加で発生する電気力線がルーバー間を通過しないように遮断して上記他側がわに導出されにくくなるようにして、電気力線に沿って移動するイオンが上記他側がわに放出されにくくすることができ、上記他側がわを壁側に向けて配置することによって、イオンの吸着で帯電する粉塵を壁の近傍に発生させにくくすることができ、周囲の壁や床、特に近接する壁を汚れにくくすることができるものである。
【００５０】
本発明の請求項６に係る空気清浄器は、空気清浄器本体の中央部よりも上記一側がわに偏らせてイオン化針と対極板を設けたので、イオン化針と対極板に印加することによって発生する電気力線を上記他側がわにより一層発生しにくくして、電気力線に沿って移動するイオンが上記他側がわに放出されにくくなるようにすることができ、上記他側がわを壁側に向けて配置することによって、イオンの吸着で帯電する粉塵を壁の近傍により一層発生させにくくすることができ、周囲の壁や床、特に近接する壁を非常に汚れにくくすることができるものである。
【図面の簡単な説明】
【図１】  本発明の一実施形態を示す上部の断面図である。
【図２】  同上の全体を示す一部を破断した斜視図である。
【図３】  同上の全体を示す断面図である。
【図４】  同上の他の実施形態を示す上部の断面図である。
【図５】  同上のさらに他の実施形態を示す上部の断面図である。
【図６】  同上のさらに他の実施形態を示す上部の断面図である。
【図７】  同上のさらに他の実施形態を示す上部の断面図である。
【図８】  同上のさらに他の実施形態を示す断面図である。
【図９】  同上の参考例を示す断面図である。
【図１０】  同上の参考例を示す断面図である。
【図１１】  突出部の一参考例を説明する説明図である。
【図１２】  突出部の他の参考例を説明する説明図である。
【図１３】  従来例を示す一部を破断した斜視図である。
【図１４】  従来例を示す上部の断面図である。
【符号の説明】
１  空気清浄器本体
２  吸い込み口
３  吹き出し口
４  粉塵
５  集塵手段
６  イオン
７  イオン生成手段
８  壁
９  イオン化針
１０  対極板
１１  ルーバー
１１ａ  ルーバー
１１ｂ  ルーバー
１１ｃ  ルーバー
１２  脚部
１３  突出部
Ａ  電気力線
【図１】
0003968795.tif 000002
【図２】
0003968795.tif 000003
【図３】
0003968795.tif 000004
【図４】
0003968795.tif 000005
【図５】
0003968795.tif 000006
【図６】
0003968795.tif 000007
【図７】
0003968795.tif 000008
【図８】
0003968795.tif 000009
【図９】
0003968795.tif 000010
【図１０】
0003968795.tif 000011
【図１１】
0003968795.tif 000012
【図１２】
0003968795.tif 000013
【図１３】
0003968795.tif 000014
【図１４】
0003968795.tif 000015